(57)【要約】【課題】軸受部ごとに同種又は異種の潤滑油を混じり合うことなく使用することで、それぞれの潤滑油特性を有効に利用する。【解決手段】潤滑油Ａは軸受部２２ａの周辺部に塗布され、潤滑油Ｂは軸受部２２ｂの周辺部に塗布され、ガイド軸との間に潤滑効果が発揮される。塗布された潤滑油Ａ、Ｂの間隔をレンズ移動枠２においてはＳ１とする。レンズ移動枠２の移動可能範囲をＬ１とし、移動範囲と潤滑油間隔の関係をＬ１＜Ｓ１と設定する。  レンズ移動枠２の軸受部２２ａに塗布された潤滑油Ａの移動範囲はＬ１Ａ、軸受部２２ｂに塗布された潤滑油Ｂの移動範囲はＬ１Ｂとされている。移動範囲Ｌ１ＡとＬ１Ｂはガイド軸６上で干渉しないようにされ、レンズ移動枠２の軸受部２２ａ、２２ｂにそれぞれ塗布された潤滑油Ａ、Ｂ同士は混じり合わず、各潤滑油Ａ、Ｂの特性を発揮できる。【選択図】図６
2008145725.tif 000002
【特許請求の範囲】
【請求項１】
少なくとも２個所の軸受部によりガイド軸に沿って直進運動する移動枠を有し、前記それぞれの軸受部の周辺部と前記ガイド軸との間にそれぞれ潤滑油を塗布し、これらの潤滑油が相互に混合しないように前記軸受部間に間隙を設けたことを特徴とする光学機器。
【請求項２】
前記移動枠の作動範囲と潤滑油塗布範囲を前記２個所の軸受部に対しそれぞれ限定し、前記移動枠が移動してもそれぞれ塗布した潤滑油が混合しないようにしたことを特徴とする請求項１に記載の光学機器。
【請求項３】
前記移動枠の前記軸受部間に前記潤滑油を塗布可能な開口部を有することを特徴とする請求項１又は２に記載の光学機器。
【請求項４】
前記軸受部にそれぞれ塗布する前記潤滑油は、異なる種の潤滑油としたことを特徴とする請求項１〜３の何れか１項に記載の光学機器。
【請求項５】
同一のガイド軸の２個所に塗布した潤滑油の塗布間隔よりも、前記ガイド軸に沿って直進移動する前記移動枠の移動範囲を小さくしたことを特徴とする請求項１〜４の何れか１項に記載の光学機器。
【発明の詳細な説明】
【技術分野】
【０００１】
本発明は、潤滑油を用いて円滑に駆動するようにした移動枠を有する光学機器に関するものである。
【背景技術】
【０００２】
光学機器内に配置された移動枠において、摺動による磨耗、作動力を減少するために、軸受部とガイド軸間に潤滑油を塗布する方法が知られている。しかし、塗布する潤滑油の範囲、量、特性により移動枠の作動力、摺動中の振動、耐久性等が変化することになる。
【発明の開示】
【発明が解決しようとする課題】
【０００３】
光学機器の移動枠において、必要とする作動力、摺動性、耐振性、耐久性を得るために、軸受部ごとに異種の潤滑油を使用することが好ましい場合がある。しかし、異種の潤滑油が混じり合うと、必要とする特性が得られないことが多い。また、異種の潤滑油の塗り分け分離が困難なため、必要とする特性の中間的な潤滑油を使用することで妥協することもある。
【０００４】
単一的な特性の潤滑油を使用しても、必要とする移動枠の作動、摺動性等の特性が得られないと、特許文献１、２のように潤滑油の特性に合わせて軸受部の形状を変更することを要する場合もある。
【０００５】
【特許文献１】特開平８−８２３２０号公報
【特許文献２】特開２００４−１０１５４７号公報
【０００６】
本発明の目的は、上述の課題を解消し、軸受部ごとに同種又は異種の潤滑油を使用することを可能とし、必要とする特性が容易に得られる光学機器を提供することにある。
【課題を解決するための手段】
【０００７】
上記目的を達成するために本発明に係る光学機器の技術的特徴は、少なくとも２個所の軸受部によりガイド軸に沿って直進運動する移動枠を有し、前記それぞれの軸受部の周辺部と前記ガイド軸との間にそれぞれ潤滑油を塗布し、これらの潤滑油が相互に混合しないように前記軸受部間に間隙を設けたことにある。
【発明の効果】
【０００８】
本発明に係る光学機器によれば、直進運動する移動枠において、ガイド軸に嵌合する２個所以上の軸受部に、個々に塗布される潤滑油塗布位置の条件を設定することにより、他の潤滑油範囲と干渉することがない。また、潤滑油が混じり合うことがないので、軸受部ごとに異種の潤滑油の使用が可能となる。
【発明を実施するための最良の形態】
【０００９】
本発明を図示の実施例に基づいて詳細に説明する。
【実施例１】
【００１０】
図１は実施例１の光学機器としての撮影用ズームレンズの分解斜視図である。光軸方向に順次に、第１レンズ群Ｇ１を有する固定レンズ枠１、第２レンズ群Ｇ２を有する変倍レンズ移動枠２、第３レンズ群Ｇ３を有する固定アフォーカルレンズ枠３、第４レンズ群Ｇ４を有するフォーカスレンズ移動枠４が配列されている。そして、フォーカスレンズ移動枠４の後方に、撮像素子面を備えた撮像素子保持枠５が配列され、４群２移動枠のリヤフォーカス光学系が構成されている。
【００１１】
レンズ移動枠以外の構成として、レンズ移動枠２に嵌合するガイド軸６、回転止めガイド軸７、レンズ移動枠４に嵌合するガイド軸８、回転止めガイド軸９、絞り機構１０、この絞り機構１０を駆動するステップモータ１１が備えられている。
【００１２】
レンズ移動枠２及びレンズ移動枠４は、それぞれガイド軸６、８に対する２個の軸受部により保持され、反対側に回転止めのガイド軸７、９による各３点保持構成とされている。また、レンズ移動枠２、４はそれぞれガイド軸６、８に沿って直進運動し、それぞれのレンズ移動枠２、４に連結された駆動源により駆動されるようになっている。
【００１３】
図２は変倍レンズ移動枠２の斜視図を示し、ガイド軸６はレンズ移動枠２の筒状のガイドスリーブ２１に挿通され、ガイドスリーブ２１の両端の２個所は軸受部２２ａ、２２ｂとされ、これらの中間部には外側を向く開口部２３が設けられている。
【００１４】
ガイド軸７はレンズ移動枠２の図示しないＵ字形の溝により保持され、回転止めとなっている。レンズ移動枠２は一体に設けられたステップモータ２４の駆動ねじと噛み合う連結部材を有し、ステップモータ２４の駆動によりガイド軸６、７に沿って直進運動をする。
【００１５】
図３はフォーカスレンズ移動枠４の斜視図を示し、ガイド軸８はレンズ移動枠４のガイドスリーブ３１に挿通され、ガイドスリーブ３１の両端の２個所は軸受部３２ａ、３２ｂとされ、これらの中間部には外側を向く開口部３３が設けられている。ガイド軸９はＵ字形の溝３４に保持されて回転止めとされ、レンズ移動枠４はガイド軸８、９に沿って一体のボイスコイル３５により直進運動をする。
【００１６】
なお、これらのレンズ移動枠２、４を駆動する方式は、本実施例に限定されることなく、他種の駆動方式でも支障はない。
【００１７】
図４は撮影用ズームレンズの各レンズ移動枠２、４の軸受部への滑油塗布前の状態の縦断面図を示し、ガイド軸６及びガイド軸８はそれぞれ軸受部２２ａ、２２ｂ及び軸受部３２ａ、３２ｂに嵌合している。レンズ移動枠２の開口部２３は下側を向き、レンズ移動枠４の開口部３３は上側を向いている。
【００１８】
図５は開口部２３、３３から異種の潤滑油Ａ、潤滑油Ｂをそれぞれ矢印のように塗布した状態を示している。潤滑油Ａは軸受部２２ａ及び３２ａの周辺部に塗布され、ガイド軸６、８との間の潤滑効果が発揮される。同様に、潤滑油Ｂは軸受部２２ｂ及び３２ｂの周辺部に塗布され、ガイド軸６、８との間に潤滑効果が発揮される。塗布された潤滑油Ａ、Ｂの間隙は、レンズ移動枠２においてはＳ１、レンズ移動枠４においてはＳ２とする。
【００１９】
図６はレンズ移動枠２及びレンズ移動枠４が作動範囲の移動可能範囲を移動した状態を示している。各レンズ移動枠２、４の移動可能範囲は、各ガイド軸６、８に沿って直進運動した際に、各レンズ移動枠２、４の一部が他の固定レンズ移動枠と接触し移動を停止する範囲内としている。
【００２０】
レンズ移動枠２の移動可能範囲をＬ１、移動枠４の移動可能範囲をＬ２とし、下記のように移動範囲Ｌと潤滑油間隔Ｓの関係を設定する。
Ｌ１＜Ｓ１
Ｌ２＜Ｓ２
【００２１】
また、レンズ移動枠２の軸受部２２ａに塗布された潤滑油Ａの移動範囲はＬ１Ａ、軸受部２２ｂに塗布された潤滑油Ｂの移動範囲はＬ１Ｂとされている。移動範囲Ｌ１ＡとＬ１Ｂはガイド軸６上で干渉しないようにされ、レンズ移動枠２の軸受部２２ａ、２２ｂにそれぞれ塗布された潤滑油はＡ、Ｂ同士は混じり合わず、各潤滑油Ａ、Ｂの特性を発揮できる。
【００２２】
同様に、レンズ移動枠４の軸受部３２ａに塗布された潤滑油Ａの移動範囲はＬ２Ａ、軸受部３２ｂに塗布された潤滑油Ｂの移動範囲はＬ２Ｂとされている。移動範囲Ｌ２ＡとＬ２Ｂはガイド軸８上で干渉することがなく、レンズ移動枠４の軸受部３２ａ、３２ｂにそれぞれ塗布する潤滑油Ａ、Ｂ同士は混じり合わず、異種の潤滑油Ａ、Ｂの特性をそれぞれ発揮できる。なお、図６において、移動範囲Ｌ１Ａ、Ｌ１Ｂ、Ｌ２Ａ、Ｌ２Ｂは、移動枠の移動方向と逆方向の潤滑油充填範囲も含んである。
【００２３】
本実施例では、駆動方法、レンズ移動枠の光学特性に関係なく、移動範囲Ｌと潤滑油塗布間隔Ｓの関係を規定できる。
【実施例２】
【００２４】
図７は実施例２の変倍レンズ移動枠２’の斜視図を示す。このレンズ移動枠２’は実施例１のレンズ移動枠２に対し、ガイドスリーブ２１の軸受部２２ａ、２２ｂの更に外端に開口部２３ａ、２３ｂを介して、それぞれ潤滑油止めのための軸受部２５ａ、２５ｂが設けられている。
【００２５】
図８は実施例２のフォーカスレンズ移動枠４’を示し、ガイドスリーブ３１の軸受部３２ａ、３２ｂの更に外端に開口部３３ａ、３３ｂを介してそれぞれ潤滑油止めのための軸受部３６ａ、３６ｂが設けられている。
【００２６】
図９はこの実施例２の光学機器としての撮影用ズームレンズの縦断面図を示している。各レンズ移動枠２’、４’の軸受部への潤滑油塗布前の状態を示し、それぞれガイド軸６は軸受部２２ａ、２２ｂ、２５ａ、２５ｂに摺動自在に嵌合し、ガイド軸８は軸受部３２ａ、３２ｂ、３６ａ、３６ｂに摺動自在に嵌合している。
【００２７】
レンズ移動枠２’の開口部２３、２３ａ、２３ｂは下側を向き、レンズ移動枠４’の開口部３３、３３ａ、３３ｂは上側を向いている。
【００２８】
図１０は各開口部から異種の潤滑油Ａ、Ｂを矢印のように塗布した状態を示している。潤滑油Ａを開口部２３ａ、３３ａから塗布することにより、ガイド軸６、８の周囲に充填され潤滑効果を得る。同様に、潤滑油Ｂを開口部２３ｂ、３３ｂから塗布することにより、ガイド軸６、８の周囲に充填され潤滑効果を得る。
【００２９】
塗布された潤滑油Ａ、Ｂの塗布の間隙は、レンズ移動枠２’では開口部２３の幅と等しいＳ３とされ、同様にフォーカスレンズ移動枠４’における潤滑油Ａ、Ｂの塗布の間隙も、開口部３３の幅と等しいＳ４とされる。
【００３０】
図１１はレンズ移動枠２’、４’が移動可能範囲を移動した状態を示している。各レンズ移動枠２’、４’の移動可能範囲は、レンズ移動枠２’、４’が各ガイド軸６、８を直進運動した際にその一部が、他の固定レンズ枠と接触し停止する範囲となる。
【００３１】
レンズ移動枠２’の移動可能範囲をＬ３、レンズ移動枠４’の移動可能範囲をＬ４とし、次の関係に設定する。
Ｌ３＜Ｓ３
Ｌ４＜Ｓ４
【００３２】
これらの関係に示されるように、本実施例２の潤滑油Ａ、Ｂの塗布位置は軸受部２２ａ、２２ｂ、３２ａ、３２ｂよりも外側に設定しているため、各軸受部での潤滑油Ａ、Ｂの間隔を開口部２３、３３の間隔として設定できる。
【００３３】
レンズ移動枠２’の開口部２３ａに塗布された潤滑油Ａの移動範囲をＬ３Ａ、開口部２３ｂに塗布された潤滑油Ｂの移動範囲をＬ３Ｂとし、移動範囲Ｌ３ＡとＬ３Ｂはガイド軸６上では干渉することがない。なお、移動範囲Ｌ３Ａ、Ｌ３Ｂ、Ｌ４Ａ、Ｌ４Ｂも図６と同様に、移動枠の移動方向と逆方向の範囲も含んでいる。このように、レンズ移動枠２’の開口部２３ａ、２３ｂに塗布する潤滑油Ａ、Ｂは異種でも混じり合わず、各潤滑油Ａ、Ｂの特性を有効に利用可能となる。
【００３４】
同様に、レンズ移動枠４’の開口部３３ａに塗布された潤滑油Ａの移動範囲をＬ４Ａ、開口部３３ｂに塗布された潤滑油Ｂの移動範囲をＬ４Ｂとし、移動範囲Ｌ４ＡとＬ４Ｂはガイド軸８上で干渉することがない。このように、レンズ移動枠４’の開口部３３ａ、３３ｂに塗布する潤滑油Ａ、Ｂは混じり合わず、レンズ移動枠２’の場合と同様に異種の潤滑油Ａ、Ｂの特性を有効に利用可能となる。
【００３５】
更に、潤滑油を塗布する開口部２３ａ、２３ｂ、３３ａ、３３ｂは袋形状であり、各開口部２３ａ、２３ｂ、３３ａ、３３ｂからの潤滑油の流れ出しが少なく、塗布位置の固定が容易となる。
【００３６】
以上、本発明の好ましい実施例について説明したが、本発明はこれらの実施例に限定されないことは云うまでもなく、その要旨の範囲内で種々の変形及び変更が可能である。
【図面の簡単な説明】
【００３７】
【図１】実施例１の撮影用ズームレンズの分解斜視図である。
【図２】変倍レンズ移動枠の斜視図である。
【図３】フォーカスレンズ移動枠の斜視図である。
【図４】撮影用ズームレンズの潤滑油塗布前の縦断面図である。
【図５】潤滑油塗布状態の縦断面図である。
【図６】移動枠の移動可能範囲を説明する縦断面図である。
【図７】実施例２の変倍レンズ移動枠の斜視図である。
【図８】フォーカスレンズ移動枠の斜視図である。
【図９】撮影用ズームレンズの潤滑油塗布前の縦断面図である。
【図１０】潤滑油塗布状態の縦断面図である。
【図１１】移動枠の移動可能範囲を説明する縦断面図である。
【符号の説明】
【００３８】
１  固定レンズ枠
２、２’  変倍レンズ移動枠
３  固定アフォーカルレンズ枠
４、４’  フォーカスレンズ移動枠
５  撮影素子保持枠
６、７、８、９  ガイド軸
１０  絞り機構
１１、２４  ステップモータ
２１、３１  ガイドスリーブ
２２ａ、２２ｂ、２５ａ、２５ｂ、３２ａ、３２ｂ、３６ａ、３６ｂ  軸受部
２３、２３ａ、２３ｂ、３３、３３ａ、３３ｂ  開口部
３５  ボイスコイル
Ａ、Ｂ  潤滑油
Ｌ  移動枠の移動範囲
Ｓ  潤滑油の塗布間隙
【図１】
2008145725.tif 000003
【図２】
2008145725.tif 000004
【図３】
2008145725.tif 000005
【図４】
2008145725.tif 000006
【図５】
2008145725.tif 000007
【図６】
2008145725.tif 000008
【図７】
2008145725.tif 000009
【図８】
2008145725.tif 000010
【図９】
2008145725.tif 000011
【図１０】
2008145725.tif 000012
【図１１】
2008145725.tif 000013